(57)【要約】【課題】給紙カセット１４と手差しトレイ１５を併用する給紙装置に対して、簡易な構成の分離爪２０を良好に配置することを可能とする。【解決手段】給紙カセット１４と手差しトレイ１５を併用する給紙装置において、給紙カセット１４に設けた分離爪２０を、手差トレイ１５の着脱動作に連動して分離作用位置と非作用待機位置との間で往復移動させる連動手段を設け、手差トレイ１５の装着時に分離爪２０を非作用待機位置まで移動させることによって手差トレイ１５から送り出される記録紙を分離爪２０に邪魔されることなく円滑に給紙させるように構成したもの。【選択図】      図４
2004196516.tif 000002
【特許請求の範囲】
【請求項１】
複数枚の記録紙を積載可能に蓄える給紙カセットと、その給紙カセット内に積層状に蓄えられた記録紙を給紙通路内に送り出す給紙手段と、その給紙手段により送り出された記録紙を一枚ずつ分離して捌く分離手段と、上記給紙通路に対して着脱自在に接続されて記録紙を一枚ずつ送給する手差トレイと、を備えた画像形成装置の給紙装置において、
上記分離手段として、前記給紙カセットから送り出されてくる記録紙の前端縁に当接することにより記録紙を一枚ずつ分離して捌く分離爪が採用されものであって、
上記分離爪は、分離作用位置と非作用待機位置との間で往復移動可能に設けられているとともに、
その分離爪の往復移動を、前記手差トレイの着脱動作に連動して行わせる連動手段が設けられていることを特徴とする画像形成装置の給紙装置。
【請求項２】
前記分離爪は、前記記録紙の給紙方向と略直交する方向に延在する回転軸を介して前記分離作用位置と非作用待機位置との間で往復回動可能に設けられていることを特徴とする請求項１記載の画像形成装置の給紙装置。
【請求項３】
前記連動手段は、
前記分離爪を分離作用位置に向かって常時押圧する爪付勢手段と、
前記手差トレイの一部をなすように設けられ、その手差トレイの装着時に上記分離爪側の部材に当接することにより当該分離爪を非作用待機位置側に向かって回動させるトレイ当接部と、
装着された手差トレイ側の部材に圧接して当該手差トレイを装着位置に向かって押圧するトレイ付勢手段と、
そのトレイ付勢手段により押圧された手差トレイを装着位置に位置決めして保持するトレイ位置決め部と、
前記給紙ローラの回転軸と一体的に回転するように設けられ、上記トレイ当接部に接触することによって上記手差トレイを上記トレイ位置決部から離脱させる離脱カム部材と、
を備えていることを特徴とする請求項１記載の画像形成装置の給紙装置。
【発明の詳細な説明】
【０００１】
【発明の属する技術分野】
本発明は、給紙カセットに付加して手差トレイが着脱される構成になされた画像形成装置の給紙装置に関する。
【０００２】
【従来の技術】
一般に、電子写真複写機、プリンタ、ファクシミリなどの各種画像形成装置には、記録紙を蓄えて送り出すための供給手段が設けられているが、例えば図１０に示されているプリンタの場合には、装置本体１に対して、複数枚の記録紙を積載状に蓄える給紙カセット２が装着されているとともに、その給紙カセット２から延出する給紙通路３に対して、記録紙を一枚ずつ積載して送り出す手差トレイ４が着脱自在に接続されている。そして、これら給紙カセット２又は手差トレイ４のいずれかから、給紙ローラ５の送り作用によって上記給紙通路３内に記録紙が送り込まれるようになっている。
【０００３】
このとき、上記給紙カセット２の出口部分には、上述した給紙ローラ５の図示下面側に近接対向して分離パッド等の摩擦分離手段６が配置されている。図示の場合の摩擦分離手段６は、上記給紙ローラ５の外周面に沿って湾曲形成された板状部材からなり、上述した給紙カセット２から送り出されてきた記録紙が、その摩擦分離手段６によって一枚ずつ分離されながら捌かれた上で、上記給紙通路３内に送り込まれるように構成されている。
【０００４】
一方、上述した手差トレイ４には、特に当該手差トレイ４の機構を簡易な構成とすることなどの目的から、上述した給紙カセット２の分離手段６に相当する部材は設けられておらず、一枚の記録紙が手差トレイ４上に載置される構成によって、記録紙が手差トレイ４から供給されるようになっている。なお、このような手差トレイ４が装着された場合には、通常、給紙カセット２よりも手差トレイ４の方を優先して給紙動作が行われるようになっている。
【０００５】
【発明が解決しようとする課題】
ここで、上述した給紙カセット２に設けられている分離手段としては、一般的には、簡易な構成で良好な分離動作を有する分離爪が採用されることが多いのであるが、前述したように図１０に示されたプリンタの給紙カセット２には、分離手段として分離パッド６が採用されている。これは、給紙カセット２と手差トレイ４とを併用する構成になされた給紙装置では、以下のような理由によって分離爪を採用することが困難になっているからである。
【０００６】
すなわち、給紙カセットに分離爪が設けられた給紙装置では、例えば図１１及び図１２に示されているように、まず給紙カセット２及び手差トレイ４の内部に、記録紙の幅方向両側縁部に当接する用紙規制板２ａ，２ａ及び４ａ，４ａが、紙幅方向に往復移動するようにそれぞれ立設されており、収容する記録紙のサイズに合わせて固定されるようになっている。そして、給紙カセット２側の両用紙規制板２ａ，２ａのうちの一方側には、紙送り方向前端部分に分離爪２ｂが取り付けられていて、その分離爪２ｂが、給紙カセット２内から送り出されてきた記録紙の前端縁に接触することによって、上述したような記録紙の捌き作用が行われるようになっている。
【０００７】
つまり、上述した給紙カセット２に設けられた分離爪２ｂは、上記用紙規制板２ａ，２ａが記録紙のサイズに合わせて移動されるに伴って一体的に往復移動されることとなる。例えば、図１１に示されているように、給紙カセット２内に小さい幅の記録紙がセットされている場合には、それに合わせて用紙規制板２ａ，２ａが同図中の波線のようにして幅方向の中心側に寄せられることとなるが、それに伴って、分離爪２ｂも、幅方向の中心側に移動させられることとなる。ところが、そのように分離爪２ｂを中心側に位置させた状態のまま、手差トレイ４上に大きな幅の記録紙をセットして用いようとすると、その手差トレイ４上から送給される大きな幅の記録紙の前端縁が、中心側に位置する分離爪２ｂに接触することとなる。つまり、手差トレイ４からの給紙通路を分離爪２ｂが遮断することとなり、手差トレイ４からの給紙が不可能になってしまう。
【０００８】
また、給紙カセット２側に分離爪２ｂが設けられているため、その分離爪２ｂが邪魔になって、分離パッド６等の摩擦分離手段を併用して配置することもできない。なお、給紙ローラ５とは別個のローラ対を備えたリタード方式を採用すると、装置が大型化して構成も複雑化してしまうことから、特に小型の画像形成装置には採用しにくい。
【０００９】
そこで本発明は、給紙カセットと手差しトレイを併用する給紙装置に対して、簡易な構成の分離爪を良好に配置することができるようにした画像形成装置の給紙装置を提供することを目的とする。
【００１０】
【課題を解決するための手段】
上記目的を達成するために、本発明の請求項１にかかる画像形成装置の給紙装置では、複数枚の記録紙を積載可能に蓄える給紙カセットと、その給紙カセット内に積層状に蓄えられた記録紙を給紙通路内に送り出す給紙手段と、その給紙手段により送り出された記録紙を一枚ずつ分離して捌く分離手段と、上記給紙通路に対して着脱自在に接続されて記録紙を一枚ずつ送給する手差トレイと、を備えた画像形成装置の給紙装置において、上記分離手段として、前記給紙カセットから送り出されてくる記録紙の前端縁に当接することにより記録紙を一枚ずつ分離して捌く分離爪が採用されものであって、上記分離爪は、分離作用位置と非作用待機位置との間で往復移動可能に設けられているとともに、その分離爪の往復移動を、前記手差トレイの着脱動作に連動して行わせる連動手段が設けられている。
【００１１】
このような構成を有する請求項１にかかる画像形成装置の給紙装置によれば、給紙カセットに設けられた分離爪が、手差トレイの着脱動作に連動して分離作用位置と非作用待機位置との間で往復移動されるため、手差トレイの装着時に分離爪を非作用待機位置まで移動させることによって、手差トレイから送り出される記録紙が分離爪に邪魔されることなく円滑に給紙されるようになっている。
【００１２】
また、本発明の請求項２にかかる画像形成装置の給紙装置では、上記請求項１における分離爪が、記録紙の給紙方向と略直交する方向に延在する回転軸を介して分離作用位置と非作用待機位置との間で往復回動可能に設けられている。
【００１３】
このような構成を有する請求項２にかかる画像形成装置の給紙装置によれば、分離爪の往復移動が、簡易な構成によって確実に行われる。
【００１４】
さらに、本発明の請求項３にかかる画像形成装置の給紙装置では、上記請求項２における連動手段が、分離爪を分離作用位置に向かって常時押圧する爪付勢手段と、手差トレイの一部をなすように設けられ、その手差トレイの装着時に上記分離爪側の部材に当接することにより当該分離爪を非作用待機位置側に向かって回動させるトレイ当接部と、装着された手差トレイ側の部材に圧接して当該手差トレイを装着位置に向かって押圧するトレイ付勢手段と、そのトレイ付勢手段により押圧された手差トレイを装着位置に位置決めして保持するトレイ位置決め部と、前記給紙ローラの回転軸と一体的に回転するように設けられ、上記トレイ当接部に接触することによって上記手差トレイを上記トレイ位置決部から離脱させる離脱カム部材とを備えている。
【００１５】
このような構成を有する請求項３にかかる画像形成装置の給紙装置によれば、連動手段が簡易な構成になされるとともに、確実な連動動作が得られるようになっている。
【００１６】
【発明の実施の形態】
以下、本発明の実施形態を図面に基づいて詳細に説明することとするが、それに先立って、レーザプリンタを例にとって画像形成装置の全体の構造を概説しておく。
【００１７】
図１に示されているレーザプリンタ１０においては、外部から送られてきた画像情報が、光書込部１１により光変調情報としてプロセスカートリッジＰ内に設けられた感光ドラム（潜像担持体）１２の表面上に光スポット状に結像され、その光スポットが、上記感光ドラム１２の軸方向（主走査方向）に往復走査されることによって当該感光ドラム１２上に形成画像に対応する静電潜像が形成される。そして、その感光ドラム１２上に形成された静電潜像に対して、同じくプロセスカートリッジＰ内に一体的に設けられた現像装置１３からトナーが供給されることにより未定着トナー像が形成される構成になされている。
【００１８】
一方、装置下部側には、給紙カセット１４が配置されているとともに、その給紙カセット１４の上部側に手差トレイ１５が着脱自在に配置されており、それら給紙カセット１４内又は手差トレイ１５上に蓄えられた記録紙（図示省略）が、給紙ローラ１６により引き出されて、レジストローラ１７によって好適なタイミングをとられながら、上述した感光ドラム１２の転写部に送り込まれるようになっている。上記給紙カセット１４及び手差トレイ１５に関する構造については後述する。
【００１９】
上述した転写部では、前記感光ドラム１２上の未定着トナー像が、記録紙に転写され、その未定着トナーが担持された記録紙は、定着装置１８に向かって搬送される。上記定着装置１８には、加熱器としての定着ローラ１８ａが設けられており、その定着ローラ１８ａの加熱定着動作によって、上記記録紙上の未定着トナーが加熱・融解され、その結果、上記記録紙上にトナー像が固定され定着されるようになっている。このような加熱定着動作によってトナー像を固定された記録紙は、装置上部の排紙トレイ１９上に排出されるようになっている。
【００２０】
このとき、上述した給紙カセット１４内には、図示を省略した複数枚の記録紙が積層状態で蓄積されている。また、特に図２に示されているように、上記給紙カセット１４の内部側には、一対の用紙規制板１４ａ，１４ａが、蓄積された記録紙の紙幅方向に沿って往復移動するように立設されており、それら一対の用紙規制板１４ａ，１４ａどうしの間に、上記記録紙の積層両壁面が挟持されるようにして位置決めされている。
【００２１】
一方、上述した給紙ローラ１６は、上記給紙カセット１４の出口部分の直上位置に配置されており、紙幅方向に沿って掛け渡されるように配置された回転駆動軸１６ａの軸方向略中央部分に固定されている。そして、その給紙ローラ１６の図示下面側の外周面が、上述した記録紙の積層方向最上位置のものに接触して回転することによって、記録紙の送り出しが行われるようになっている。
【００２２】
また、上述した一対の用紙規制板１４ａ，１４ａのうちの一方側には、分離手段としての分離爪２０が設けられている。この分離爪２０は、上記給紙ローラ１６によって送り出されてきた給紙カセット１４内の記録紙を、一枚ずつ分離して捌きながら給紙通路内に送り込む機能を有するものであって、そのような捌き作用を行う分離作用位置と、記録紙側には接触しない非作用待機位置との間で、往復移動されるように設けられている。
【００２３】
すなわち、特に図５、図６、図７、図８及び図９に示されているように、上述した一対の用紙規制板１４ａ，１４ａの一方側には、用紙送り出し方向の前端部分に回転軸２１が回転自在に嵌め込まれており、その回転軸２１が上記給紙カセット１４内部側に突出している内方延出部分の外周面からは、上記分離爪２０が半径方向に延出するように設けられている。そして、上記回転軸２１が回動されるに伴って、上記分離爪２０は、図６に示されたように記録紙の送出方向手前側に向かって倒れ込むように傾斜した分離作用位置と、図７に示されたように記録紙の送出方向前方側に向かって倒れ込むように傾斜した非作用待機位置との間で往復回動される構成になされている。
【００２４】
さらに、このように回動移動するように設けられた分離爪２０には、引張コイルバネ２２ｂ等からなる爪付勢手段が付設されている。その爪付勢手段は、上述した回転軸２１が給紙カセット１４の側面外方に向かって突出している部位に設けられた突起部２２ａに連結されており、その爪付勢手段から与えられる付勢力によって、上記分離爪２０は、図６の分離作用位置側に向かって常時押圧されている。
【００２５】
一方、前述した手差トレイ１５は、一枚の記録紙を載置して送給する機能を備えたものであって、上述した給紙カセット１４から延出している給紙通路に対して着脱自在に接続される構成になされていて、図３に示されているように、上記給紙カセット１４の上方側開口部のほぼ全面を覆うように装着されている。この手差トレイ１５と上述した分離爪２０との間には、次に説明するような連動手段が介在されており、その連動手段の作用によって、上記分離爪２０が、図６の分離作用位置と、図７の非作用待機位置との間で回動される構成になされている。
【００２６】
その連動手段では、図４にも示されているように、上記手差トレイ１５の本体トレイ板１５ａの前端部分にトレイ当接部１５ｂが設けられている。このトレイ当接部１５ｂは、上述した本体トレイ板１５ａの記録紙の送出方向前端縁部分から給紙方向前方側に向かって斜め上方に向かって突出する一対の板状部材から形成されており、それら一対のトレイ当接部１５ｂ，１５ｂどうしの間部分から、上述した給紙ローラ１６の一部が露出するように配置されている。そして、当該手差トレイ１５の装着が行われた際には、上記トレイ当接部１５ｂの前端面が、上述したような分離作用位置にある分離爪２０（図６参照）に対して突き当たって押圧する配置関係になされている。
【００２７】
すなわち、上記手差トレイ１５が装着されるにあたっては、上述したトレイ当接部１５ｂが、後述するストッパ２５の下方側をくぐらせながら記録紙の送出方向前方側に押し出すようにして挿入され、その際、元々図６のような分離作用位置にあった分離爪２０が、図７に示されている非作用待機位置まで押し倒されるようにして回動されるとともに、上記トレイ当接部１５ｂが再び上方側に持ち上げられるようにしてセットされ、それと同時に上述した本体トレイ板１５ａの両側縁略中央部分に突設された支持軸１５ｅ，１５ｅ（図３参照）が、前記給紙カセット１４の両側板にそれぞれ凹設された受溝（図示省略）内に回転自在に係合されることによって、手差トレイ１５の装着が行われるようになっている。
【００２８】
また、上記手差トレイ１５のトレイ当接部１５ｂは、前記本体トレイ板１５ａから両側外方に向かって延出するように設けられており、そのトレイ当接部１５ｂの両側延出部分から、断面略コの字状をなすトレイ係止部１５ｃが記録紙送り方向前方側に向かって突出するように設けられている。このトレイ係止部１５ｃの記録紙送り方向前端部分には、略垂直に延在するバネ受面が形成されているとともに、そのトレイ係止部１５ｃのバネ受面と対向するようにして、装置本体側の固定板２４が立設されている。そして、その固定板２４に一端側が支持されたトレイ付勢手段としてのコイルバネ２３の先端部分が、上述した手差トレイ１５の装着時において、上記トレイ係止部１５ｃのバネ受面に圧接するように構成されている。このように、上述した手差トレイ１５の装着時には、上記コイルバネ２３の先端部分がトレイ係止部１５ｃのバネ受面に圧接することとなり、それによって、上記手差トレイ１５の全体を記録紙送り方向の後方側に向かって略水平方向に押圧する構成になされている。
【００２９】
一方、上記手差トレイ１５に設けられたトレイ係止部１５ｃの記録紙送り方向後方位置には、トレイ位置決部としてのストッパ２５が立設されている。このストッパ２５は、上述したトレイ係止部１５ｃの後端縁部１５ｄが当接可能となるように配置されており、上述したトレイ付勢手段としてのコイルバネ２３の付勢力により手差トレイ１５のトレイ係止部１５ｃが上記ストッパ２５側に圧接されることによって、手差トレイ１５の全体が最終的な装着位置に保持されるように構成されている。
【００３０】
さらに、上述した給紙ローラ１６の回転駆動軸１６ａの軸方向両端部分には、離脱カム部材２６が、上記回転駆動軸１６ａと一体的に回転するように取り付けられている。この離脱カム部材２６は、略扇形をなすように形成されており、中心ボス部２６ａの外周面から半径方向の一方向に向かって延在するように配置されている。そして、その離脱カム部材２６が、上記給紙ローラ１６の回転駆動軸１６ａと一体的に回転したときに、上記手差トレイ１５のトレイ係止部１５ｃに対して上方側から接触する配置関係になされており、この離脱カム部材２６が上記手差トレイ１５のトレイ係止部１５ｃに接触したときには、当該離脱カム部材２６の押し下げ力によって上記手差トレイ１５のトレイ係止部１５ｃが下方側に押し下げられるようになっている。
【００３１】
このように手差トレイ１５のトレイ係止部１５ｃが、上記離脱カム部材２６の押し下げ作用によって、上述したトレイ位置決部としてのストッパ２５の下端位置まで押し下げられていき、さらに下方側に押し下げられて、トレイ係止部１５ｃの後端縁部１５ｄが上述したストッパ２５の下端部分から離脱されると、上述したトレイ付勢手段としてのコイルバネ２３の水平方向の付勢力によって、手差トレイ１５の全体が後方側に押されていき、その結果、手差トレイ１５の取り外しが行われる構成になされている。
【００３２】
以上のような構成を有する本実施形態において、まず図２に示されているように手差トレイ１５が装着されていない場合には、給紙カセット１４に対して分離爪２０が、図６に示されている分離作用位置に配置されているため、給紙ローラ１６の回転によって給紙カセット１４から送り出されてきた記録紙が、上記分離爪２０の作用によって一枚ずつ捌かれながら給紙通路内に送り出されることとなる。
【００３３】
一方、図３及び図４に示されているように、手差トレイ１５が装着された場合には、当該手差トレイ１５のトレイ当接部１５ｂが、上記分離爪２０に接触することによって分離爪２０は押し倒されるようにして回動され、図６のように前方側に傾斜する分離作用位置にあった分離爪２０が、図７、図８及び図９に示されている非作用待機位置まで後方側に傾斜するように回動される。これによって分離爪２０の解除が行われるため、手差トレイ１５が装着されて手差トレイ１５から記録紙が送り出されてきても、そのときの給紙通路を分離爪２０が邪魔することがないので、上記手差トレイ１５からの給紙動作は円滑に行われることとなり、記録紙先端は、トレイ当接部１５ｂに案内されて給紙される。
【００３４】
また、本実施形態における手差トレイ１５は、一枚の記録紙のみを給紙する機能を有するものであって、その手差トレイ１５を用いた給紙が行われた場合においては、給紙動作の直後に、上述した離脱カム部材２６の作用によって手差トレイ１５が下方側に押し下げられていく。そして、トレイ位置決部としてのストッパ２５から手差トレイ１５が離脱され、トレイ付勢手段としてのコイルバネ２３の付勢力によって手差トレイ１５が後方側に向かって取り外されるようになっている。
【００３５】
以上本発明者によってなされた発明を実施形態に基づき具体的に説明したが、本発明は上記実施形態に限定されるものではなく、その要旨を逸脱しない範囲で種々変形可能であるというのはいうまでもない。
【００３６】
例えば本発明は、上述した実施形態におけるレーザプリンタ以外の多種多様な画像形成装置に対しても同様に適用することができるものである。
【００３７】
【発明の効果】
以上述べたように、本発明の請求項１にかかる画像形成装置の給紙装置は、給紙カセットと手差しトレイを併用する給紙装置において、給紙カセットに設けた分離爪を、手差トレイの着脱動作に連動して分離作用位置と非作用待機位置との間で往復移動させる連動手段を設け、手差トレイの装着時に分離爪を非作用待機位置まで移動させることによって手差トレイから送り出される記録紙を分離爪に邪魔されることなく円滑に給紙させるように構成したものであるから、給紙カセットと手差しトレイを併用する給紙装置に対して、簡易な構成の分離爪を良好に配置することができ、安価で信頼性の高い給紙装置を実現することができる。
【００３８】
また、本発明の請求項２にかかる画像形成装置の給紙装置は、上記請求項１における分離爪を、記録紙の給紙方向と略直交する方向に延在する回転軸を介して分離作用位置と非作用待機位置との間で往復回動可能に設けて、分離爪の往復移動を簡易な構成によって確実に行わせるように構成したものであるから、上述した効果を確実に得ることができる。
【００３９】
さらに、本発明の請求項３にかかる画像形成装置の給紙装置は、上記請求項１における連動手段を、分離爪を分離作用位置に向かって常時押圧する爪付勢手段と、手差トレイの装着時に上記分離爪を非作用待機位置側に向かって回動させるトレイ当接部と、装着された手差トレイを装着位置に向かって押圧して保持するトレイ付勢手段及びトレイ位置決め部と、上記手差トレイを上記トレイ位置決部から離脱させる離脱カム部材とを備えていることによって、連動手段を簡易な構成にしつつ確実な連動動作を得るように構成したものであるから、上述した効果を確実に得ることができる。
【図面の簡単な説明】
【図１】本発明を適用した画像形成装置の一例としてのレーザプリンタの構造例を表した縦断面説明図である。
【図２】本発明の一実施形態における給紙カセットの概略構造を表した外観斜視説明図である。
【図３】図２に表した給紙カセットに対して手差トレイを装着した状態を表した外観斜視説明図である。
【図４】図３に表した給紙カセット及び手差トレイの前端側部分を拡大して表した外観斜視説明図である。
【図５】給紙カセットに取り付けられた分離爪の構造を表した外観斜視説明図である。
【図６】分離爪が分離作用位置にある状態を表した外観斜視説明図である。
【図７】分離爪が非作用待機位置にある状態を表した外観斜視説明図である。
【図８】手差トレイの装着によって分離爪が非作用待機位置に回動された状態を表した外観斜視説明図である。
【図９】手差トレイの装着によって分離爪が非作用待機位置に回動された状態を表した側面説明図である。
【図１０】従来の画像形成装置の一例としてのレーザプリンタの構造例を表した縦断面説明図である。
【図１１】従来構造の装置において、分離爪を有する給紙カセットに手差トレイを装着した状態を表した平面説明図である。
【図１２】従来構造の装置において、分離爪を有する給紙カセットに手差トレイを装着した状態を表した側面説明図である。
【符号の説明】
１４  給紙カセット
１４ａ  用紙規制板
１５  手差トレイ
１５ａ  本体トレイ板
１５ｂ  トレイ当接部
１５ｃ  トレイ係止部
１５ｄ  後端縁部
１６  給紙ローラ
１６ａ  回転駆動軸
２０  分離爪（分離手段）
２１  回転軸
２２ａ  突起部
２３  コイルバネ
２４  固定板
２５  ストッパ
２６  離脱カム部材
【図１】
2004196516.tif 000003
【図２】
2004196516.tif 000004
【図３】
2004196516.tif 000005
【図４】
2004196516.tif 000006
【図５】
2004196516.tif 000007
【図６】
2004196516.tif 000008
【図７】
2004196516.tif 000009
【図８】
2004196516.tif 000010
【図９】
2004196516.tif 000011
【図１０】
2004196516.tif 000012
【図１１】
2004196516.tif 000013
【図１２】
2004196516.tif 000014